(57)【要約】【課題】  動画としてのウォークスルーの際には、入手したい数値・文字・記号・図形情報のみを表示することで、コンピュータ動作が遅くならないようにするとともに、ウォークスルーの邪魔にならないように認識し易く表示することで、スムーズなウォークスルー動作が可能なＣＧ建築図面の表示方法を提供する。【解決手段】  コンピュータグラフィックス処理された画像データに基づいてコンピュータが建築物を動画像で表示しウォークスルーを行った後、前記建築物の所定場面を静止画像で表示するＣＧ建築図面の表示方法であって、前記ウォークスルーを行っているときには前記所定場面の所定領域における数値，文字，記号，図形等の特定情報を非表示とし、前記所定場面の静止画像が表示されたときに前記所定領域のうちの一の領域もしくは当該領域内の特定箇所を操作者が特定領域選択手段にて選択すると、その選択領域における前記特定情報を表示する。【選択図】  図１６
2015125761.tif 000002
【特許請求の範囲】
【請求項１】
コンピュータグラフィックス処理された画像データに基づいてコンピュータが建築物を動画像で表示しウォークスルーを行った後、前記建築物の所定場面を静止画像で表示するＣＧ建築図面の表示方法であって、前記ウォークスルーを行っているときには前記所定場面の所定領域における数値，文字，記号，図形等の特定情報を非表示とし、前記所定場面の静止画像が表示されたときに前記所定領域のうちの一の領域もしくは当該領域内の特定箇所を操作者が特定領域選択手段にて選択すると、その選択領域における前記特定情報を表示することを特徴とするＣＧ建築図面の表示方法。
【請求項２】
玄関，台所，居間，寝室，バスルーム等の各選択指定場所を選択する選択ボタンを予め画面表示しておき、前記選択ボタンのうちのひとつを操作者が選択すると、予め設定された前記ウォークスルーの移動ルートのうちから前記選択指定場所に移動するルートをコンピュータが選択し前記ウォークスルーを行うことを特徴とする請求項１記載のＣＧ建築図面の表示方法。
【請求項３】
前記建築物の平面図や展開図等の２次元画像データに基づいてコンピュータが３次元可視化技術によって表示する表示方法であり、前記建築物の所定場面を静止画像で表示している画面上に電気配線、給水管、排水管の移動ルート、換気孔、通気口の移動ルート、又は、風・空気の移動ルートうちのいずれか一種以上を表示し、前記移動ルートに基づいた前記ウォークスルーを行うことを特徴とする請求項１または２記載のＣＧ建築図面の表示方法。
【請求項４】
前記建築物の平面図や展開図等の２次元画像データに基づいてコンピュータが３次元可視化技術によって表示する表示方法であり、前記建築物の所定場面を静止画像で表示している画面上に操作者が視点情報入力手段によって仮想の人が立って見る視点位置情報及び視点方向情報を入力すると、これらの視点位置情報及び視点方向情報に対応した３次元可視化により前記建築物の所定場面を静止画像で表示することを特徴とする請求項１から３のいずれか一項記載のＣＧ建築図面の表示方法。
【請求項５】
前記特定情報のうち、３次元可視化技術によって表示される奥行きに関する数値情報を優先表示することを特徴とする１から４のいずれか一項記載のＣＧ建築図面の表示方法。
【請求項６】
前記特定情報のうち、前記所定場面の所定領域における壁の内部，天井の内部，床下の内部等の内部情報を優先表示することを特徴とする１から４のいずれか一項記載のＣＧ建築図面の表示方法。
【請求項７】
コンピュータグラフィックス処理された画像データに基づいて建築物を動画像で表示しウォークスルーを行った後、前記建築物の所定場面を静止画像で表示するためにコンピュータ上で実行させるＣＧ建築図面の表示プログラムであって、前記建築物の平面図や展開図等の２次元画像データに基づいて３次元可視化技術によって表示するものであり、前記ウォークスルーを行っているときには前記所定場面の所定領域における数値，文字，記号，図形等の特定情報を非表示とし、前記所定場面の静止画像が表示されたときに前記所定領域のうちの一の領域もしくは当該領域内の特定箇所を操作者が特定領域選択手段にて選択すると、その選択領域における前記特定情報を表示するようにコンピュータを機能させることを特徴とするＣＧ建築図面の表示プログラム。
【発明の詳細な説明】
【技術分野】
【０００１】
この発明は、コンピュータグラフィックス処理された画像データに基づいてコンピュータが建築物を動画像で表示しウォークスルーを行った後、前記建築物の所定場面を静止画像で表示するＣＧ建築図面の表示方法、及びＣＧ建築図面の表示プログラムに関する。
【背景技術】
【０００２】
従来、建築物や建築物の内部をコンピュータが３次元可視化技術によって表示することにより、あたかも実際にその場にいるような感覚を顧客に示す広告手段が知られている。３次元可視化技術は、３Ｄ技術とも呼称されており、また、３次元可視化技術によって表示された画像は、３Ｄ図とも呼ばれる。建築物の施工者は、建築図面の設計者が作図した平面図や展開図などを主に使用するが、建築物を購入する顧客は、一般に、２次元で表現された平面図や展開図では、実際の建築物をイメージしづらく、三次元建築模型が用いられてきた。近年、コンピュータ技術の発達は目覚しく、３次元可視化技術によって表示された３Ｄ図とによる広告宣伝が積極的に行われている。
【０００３】
特許文献１には、「建築物を顧客や消費者に分かり易く伝えることができる視点画を提供するものとして、建築の広告宣伝用の３Ｄ（３次元）画像で作る視点画に於いて、該建築物を住戸内鳥瞰図で描き、該建築物の構成内容に視覚誘導する補強ラインを書き加えたことを特徴とする広告宣伝用の視点画」が開示されている。
特許文献２には、「各々提示対象とする建物で実際に使用可能とされている素材のサンプルである複数の素材サンプルを、自身を識別可能な識別情報を送信可能なものとし、前記複数の素材サンプルの表面画像を示す表面画像情報及び建物における使用場所を示す使用場所情報が対応する素材サンプルの前記識別情報に関連付けられて記憶されると共に、前記建物の３次元画像を示す３次元画像情報及び当該建物の各部屋の位置を示す位置情報が記憶された記憶手段と、前記３次元画像情報に基づいて前記建物の３次元画像を表示する表示手段と、複数の部屋が含まれた状態で前記建物の平面画像を提示するものであり、かつ前記素材サンプルが載置される提示手段と、を備えた情報処理装置により、
前記提示手段により前記建物の平面画像が提示されており、かつ当該提示手段に前記素材サンプルが載置された場合に、当該素材サンプルにより送信された前記識別情報を受信すると共に、当該素材サンプルの前記提示手段における載置位置を特定し、前記素材サンプルの載置位置が前記平面画像における何れかの部屋の領域内に位置しているか否かを特定した前記載置位置と前記位置情報に基づいて判定し、何れかの部屋の領域内に位置していると判定した場合に、受信した前記素材サンプルの前記識別情報に対応する前記表面画像情報及び前記使用場所情報に基づいて、当該部屋の当該素材サンプルに対応する領域が当該素材サンプルの表面画像で表示されるように前記表示手段を制御する建物デザイン提示方法」が開示されている。
特許文献３には、「住宅の構造材の配置を設計するＣＡＤによって設計された住宅の構造材の配置情報を記憶しているＣＡＤデータ記憶手段と、ディスプレイ画面に表示すべき住宅の階層を指定する階層指定手段と、該階層指定手段の指定した階層の構造材の配置情報を前記ＣＡＤデータ記憶手段から読み出して平面図として表示する平面図表示手段とを備え、さらに、（１−１）前記平面図表示手段の表示している平面図中で立体表示すべき範囲を指定する範囲指定手段を備え、（１−２）前記平面図表示手段が表示している平面図中で、前記範囲指定手段によって指定された範囲に含まれる構造材を特定する構造材特定手段を備え、（１−３）前記構造材特定手段が特定した構造材について、前記範囲指定手段の指定した範囲の最外面上に表れるべき切断面の情報を算出する切断面算出手段を備え、（１−４）前記構造材特定手段によって特定された構造材について、前記ＣＡＤデータ記憶手段の記憶している構造材の配置情報と前記切断面算出手段の算出した切断面の情報とに基づいて、前記範囲指定手段によって指定された範囲内の構造材については立体的な画像として表示し、当該範囲外の構造材については前記階層指定手段によって指定された階層面での平面的な画像として表示する三次元画像表示手段を備え、（１−５）前記三次元画像表示手段の表示している画像を対象として、少なくとも、回転・拡大・縮小をした状態の画像を表示させる編集表示手段を備えているＣＡＤデータ表示装置」が開示されている。
特許文献４には、「建築物に関する画像データを予めＣＡＤシステムにより作成し、前記建築物を前記画像データに基いてＣＧ画像の静止画又は動画としてスクリーン上に表示するに当たり、前記建築物の斜視断面を表す画像データを備えておき、動画としてのウォークスルーを行っている途中で屋根、天井、壁又は床等の断面構造を希望する旨の所定の入力操作によってウォークスルーが一時的に中断され、その中断した静止画の部位の斜視断面図を前記スクリーンに表示するようにしたＣＧ画像による建築物の断面表示方法」が開示されている。
特許文献５には、「ＣＧ画像作成用のコンピュータの画面上に建築物の各階の平面図を表示しながら入力するとともに、必要により上記建築物の各部の高さや厚み等を入力することにより建築物に関する３次元データを作成し、引き続き、この３次元データに対して視点位置及び観察点位置を設定してこれらの視点位置及び観察点位置を静止または移動させることにより、上記コンピュータと連係する表示装置上に上記建築物を表すＣＧ画像を静止画または動画として表示させるようにしたＣＧ画像の作成表示方法」が開示されている。
【先行技術文献】
【特許文献】
【０００４】
【特許文献１】特開２００７−０２５６１４号公報
【特許文献２】特開２００７−２５７５５１号公報
【特許文献３】特開２０１１−０１８３６８号公報
【特許文献４】特開平９−１０６４１３号公報（特許第３３３７３５５号公報）
【特許文献５】特開２０００−１１３２１１号公報
【発明の概要】
【発明が解決しようとする課題】
【０００５】
ところで、建築物を斜め上方や斜め下方から眺めるように可視化して、建築物の内部コーナ部などを奥行きがあるように表示することは、３Ｄ（３次元）図が得意とするところであるが、奥行きがあるように表示することで、窓、ドア、家具、備品などの位置や寸法などが、正確な位置や縮尺とはならない。
【０００６】
つまり、３Ｄ（３次元）図は、顧客に対する広告や内部の構造を説明する資料として使用されることが多く、施工者用の図面（寸法線を入れた平面図等）が別途作成されていることが通例である。
【０００７】
しかしながら、特許文献１〜５に記載の既知の３Ｄ図では、建物の完成後になってから、顧客の認識と実際の寸法とが異なっている事例や、また、柱、梁、筋交いなどの内部構造物の有無が、顧客の認識と実際の寸法とが異なっている事例や、また、補強部材、照明、水道管、電気配線などの位置情報において、顧客の認識と実際の寸法とが異なっている事例があり、これら認識の相違がトラブルの原因になることがあった。
そして、顧客用の図面と施工者用の図面とを各々作成し、個別に管理することは煩雑である。また、建物の完成後暫く経ってから、リフォームの際や、壁にエアコンを付けるような場合に、柱、梁、筋交いなどの位置や、照明の位置やコンセントの位置が確認できないことに起因するトラブルも生じ得る。また、施工側についても、設計者と施工者（大工、電気工事作業者、リフォーム業者など）とで認識が相違する場合があり、照明の設置作業やリフォームする箇所における内部構造物の有無や位置関係などで認識のズレが生じることがある。さらに、顧客としては、実際の建築物の建築の進捗状況が設計図や３Ｄ図に適合して進捗しているかどうか知りたい場合がある。
【０００８】
一方、既知の３Ｄ図は、顧客からの依頼内容に基づいて、建築物の広告用図面として、リアル感や臨場感を持って営業や取引でアピールするものである。それに加えて、実際の建築物を施工する側（施工者・設計者や建築模型設計者・ＣＧ製作者などを含む）からも活用でき、それを実際にその建築現場に立って見ている様な感覚（顧客が３Ｄ図の中に実際に立っている感覚）を醸し出す必要性が求められており、それが現場作業に役立つようにされること（建築物の内部構造を確認し、水道管や電気配線の位置の確認等を行うこと）が将来的に必要になってくるものと考えられる。施工者には必要な数値・文字・記号・図形情報であるが、顧客には不要な数値・文字・記号・図形情報である場合や、それとは逆に、顧客は知りたいが、施工者には不要な数値・文字・記号・図形情報がある場合がある。
【０００９】
しかしながら、コンピュータによって、３Ｄ図を表示する際には、コンピュータには大容量のメモリが必要となり、同時に、コンピュータに大きな負荷がかかる。また、多くの数値・文字・記号・図形情報をすべて表示させたままであると、縦や横や斜めの数値・文字・記号・図形情報が交錯し重なり合うことで、かえって表示が認識し難くなり、そのうえさらに、例えば、ウォークスルーの際には、多くの数値・文字・記号・図形情報があることで、認識の妨げになる。また、ウォークスルーのスタートが常に玄関である場合には、見たい部屋への到着に手間取り、見たい数値・文字・記号・図形情報がなかなか見られないばかりか、さらに大容量のメモリが必要となり、コンピュータの消費電力も浪費することとなる。
ここで、特許文献４には、「動画としてのウォークスルーを行っている途中で屋根、天井、壁又は床等の断面構造を希望する旨の所定の入力操作によってウォークスルーが一時的に中断され、その中断した静止画の部位の斜視断面図を前記スクリーンに表示する」と記載されているが、すべての斜視断面図を用意すると膨大な画像データが必要になり、それに伴いウォークスルー動作が遅くなるなどのコンピュータ上の問題がある。また、特許文献４記載の方法を３Ｄ表示に適用した場合、平面図や展開図など２Ｄの数値情報と３Ｄの数値情報が重なって表示されることが想定され、必要な情報が認識し難くなるという問題がある。
さらに、数値・文字・記号・図形情報は、顧客や施工者や設計者などによっても必要な情報が異なる。顧客は、例えば、柱・梁・筋交いや配管・配線などの内部構造物についての数値・文字・記号・図形情報を必要とする場合がある。また、ウォークスルーを行なうルートは、顧客ごとに関心が異なり（女性は台所・ダイニングルームに関心が高いなど）、又、施工者によっても関心が異なるために（電気工事者は配線盤等の或る箇所、配管工事者では配管のある箇所）、ウォークスルーの画一的なルート設定や、操作者にすべて任せる設定とすると、目的の場所に行くのに時間がかかるなどの問題がある。
【００１０】
そこで本発明の目的は、動画としてのウォークスルーを行いながら、入手したい数値・文字・記号・図形情報のみを表示することで、メモリ容量が不足しコンピュータ動作が遅くなる不具合を予防するとともに、コンピュータの電力消費を抑制し、数値・文字・記号・図形情報がウォークスルーの際に邪魔にならないようにして認識し易く表示することで、スムーズなウォークスルー動作が可能なＣＧ建築図面の表示方法及びＣＧ建築図面の表示プログラムを提供することにある。
【課題を解決するための手段】
【００１１】
本発明のＣＧ建築図面の表示方法は、コンピュータグラフィックス処理された画像データに基づいてコンピュータが建築物を動画像で表示しウォークスルーを行った後、前記建築物の所定場面を静止画像で表示するＣＧ建築図面の表示方法であって、前記ウォークスルーを行っているときには前記所定場面の所定領域における数値，文字，記号，図形等の特定情報を非表示とし、前記所定場面の静止画像が表示されたときに前記所定領域のうちの一の領域もしくは当該領域内の特定箇所を操作者が特定領域選択手段にて選択すると、その選択領域における前記特定情報を表示することを特徴とする。
【００１２】
本発明によれば、コンピュータが建築物を動画像で表示しウォークスルーを行っているときには所定場面の所定領域における数値，文字，記号，図形等の特定情報を非表示とし、前記所定場面の静止画像が表示されたときに前記所定領域のうちの一の領域もしくは当該領域内の特定箇所を操作者が特定領域選択手段にて選択すると、その選択領域における前記特定情報を表示する。したがって、前記ウォークスルーを行っているときには動画像表示に適した情報のみ表示することができ、メモリ不足や電力消費にかかるコンピュータへの負荷を軽減し、スムーズなウォークスルー動作が行なえるとともに、選択した箇所の数値・文字・記号・図形情報を認識し易く表示させることができる。
【００１３】
前記特定情報は、数値，文字，記号，図形等であり、寸法線、矢印、符号等を含む概念である。そして、３Ｄ図に対応する数値・文字・記号・図形情報を平面図や展開図などの２Ｄ図に加えても良い。また、３Ｄ図に対応する洗面台、換気扇、洗濯機、冷蔵庫、照明器具、下駄箱、テーブル、机、電源盤などの備品を２Ｄ図に付け加えても良い。
【００１４】
前記所定領域のうちの一の領域もしくは当該領域内の特定箇所を操作者が特定領域選択手段にて選択する具体的な方法としては、例えば、マウスやポインティングデバイス等の特定領域選択手段にて所定の２点を選択入力することで、その２点間距離を表示させる。また例えば、マウスやポインティングデバイス等の特定領域選択手段にて前記所定領域のうちの一の領域を円形や四角形などの枠で領域指定し選択入力することで、その領域指定された範囲内における所定箇所の２点間距離を表示させる。そして、ウォークスルーを３Ｄ図上で行なうときには、２Ｄ図上の数値・文字・記号・図形情報は表示しないほうが見易くなる。
【００１５】
本発明は、玄関，台所，居間，寝室，バスルーム等の各選択指定場所を選択する選択ボタンを予め画面表示しておき、前記選択ボタンのうちのひとつを操作者が選択すると、予め設定された前記ウォークスルーの移動ルートのうちから前記選択指定場所に移動するルートをコンピュータが選択し前記ウォークスルーを行うことを特徴とする。
【００１６】
本発明によれば、玄関，台所，居間，寝室，バスルーム等の各選択指定場所を選択する選択ボタンのうちのひとつを操作者が選択すると、予め設定された前記ウォークスルーの移動ルートのうちから前記選択指定場所に移動するルートをコンピュータが選択し前記ウォークスルーを行い、前記選択指定場所にてウォークスルーを停止するので、そのウォークスルー停止位置から、前記建築物の所定箇所を特定領域選択手段で選択し、その選択範囲における数値・文字・記号・図形情報を認識し易く表示する。前記ウォークスルーを停止する停止位置としては、複数個所の設定が可能であり、例えば、玄関を表示するに好適な位置を予め複数設定しておくと良い。前記ウォークスルーは、３Ｄ表示に適した数値等の情報のみ表示するようにすると、見やすく表示できる。その他の３次元情報や２次元情報は、必要に応じて順次表示させれば良い。
【００１７】
本発明によれば、前記選択指定場所から前記ウォークスルーの所定の移動ルートに従ってウォークスルーを開始するので、顧客の関心のある箇所や、施工者や設計者の関心のある場所からウォークスルーをスムーズに行なってから、建築物の所定箇所の数値・文字・記号・図形情報を知りたい場所の数値・文字・記号・図形情報を表示させることができる。例えば、ダイニングに関心のある顧客には、玄関からウォークスルーを開始するのではなく、台所（ダイニング）からウォークスルーを開始して、ダイニングの所定箇所を周回してから停止して、前記建築物の所定箇所を特定領域選択手段で選択すると、その選択範囲における上記建築物の所定箇所の数値・文字・記号・図形情報を表示する。これにより、コンピュータのメモリ不足や電力消費にかかる負荷を軽減すると共に、スムーズなウォークスルー動作が行なえる。その停止位置から、前記建築物の所定箇所を特定領域選択手段で選択して、その選択範囲における建築物の所定箇所の数値・文字・記号・図形情報を表示する。
【００１８】
本発明は、前記建築物の平面図や展開図等の２次元画像データに基づいてコンピュータが３次元可視化技術によって表示する表示方法であり、前記建築物の所定場面を静止画像で表示している画面上に電気配線、給水管、排水管の移動ルート、換気孔・通気口への風の移動ルートうちのいずれか一種以上を表示し、前記移動ルートに基づいた前記ウォークスルーを行うことを特徴とする。
【００１９】
本発明によれば、例えば、電気工事者には電気配線の経路が理解し易く３Ｄで表示され、また、水道工事者には、給水管や排水管の経路（移動ルート）が理解し易く３Ｄで表示される。
【００２０】
前記ウォークスルーを３次元情報上で行なうときには、２次元情報上の電気配線の経路、給水・排水の経路、換気や通気の経路等の移動ルートは表示しないほうが見易くなる。また、先に、電気配線の経路、給水・排水の経路、換気の経路等の移動ルートを３Ｄ情報上で表示させた後、すなわち、電気配線の経路などを一周させてから、所定箇所で停止させて表示しても良い。
【００２１】
前記内部構造物としては、柱・梁・筋交いなどのほか、水道管・配水管や、電気配線・照明配線、空調配線、ダウンライトやコンセントの位置などを含む。電気の供給量、照明灯の度数などを文字や図形等で表示することも可能である。本発明によれば、顧客と施工者の双方が、柱などの内部構造物の位置や大きさなどを、正確な数値（文字や図形とともに表示する）をもって認識できるようになる。
【００２２】
本発明としては、建物の各部屋のコーナ部などの奥行き感をＣＧ表示する位置、又は、建物全体斜視図をＣＧ表示する位置において、前記建築物の所定箇所の数値・文字・記号・図形情報を表示するに際して、前記建築物の平面図や展開図に係る数値・文字・記号・図形情報よりも、各部屋のコーナ部などの奥行き感のＣＧ表示に係る数値・文字・記号・図形情報を優先して表示する優先表示手段を備えることが好ましい。本発明によれば、前記建築物の平面図や展開図に係る数値・文字・記号・図形情報よりも、各部屋のコーナ部などの奥行き感のＣＧ表示に係る数値・文字・記号・図形情報を優先して表示するので、３ＤのＣＧ表示に適した数値を優先して表示するので（３Ｄ表示に適した数値等の情報のみ表示）、数値・文字・記号・図形情報の重なり合いを防止して、そのメモリや電力消費などの付加を軽減することができる。なお、前記建築物の平面図や展開図に係る数値・文字・記号・図形情報を優先させることも可能である。そして、２次元情報や３次元情報の数値情報等は、必要に応じて、上記特定領域選択手段で選択した範囲内で順次表示させる。
【００２３】
本発明としては、前記建築物を断面で表示する断面表示手段を備え、前記内部構造物を表示するときは、前記建築物の平面図や展開図に係る数値・文字・記号・図形情報よりも、前記内部構造物に係る数値・文字・記号・図形情報を優先して表示する優先表示手段を備えることが好ましい。本発明によれば、前記内部構造物を表示するときは、前記内部構造物に係る数値・文字・記号・図形情報を優先して表示するので、前記建築物の平面図や展開図に係る数値・文字・記号・図形情報との重複がなく、見やすく認識することができる。また、前記内部表示手段に、天井の内部を表示する天井内部表示手段、又は、床下の内部を表示する床下内部表示手段を備えることで、廊下などのウォークスルーからは認識が難しい天井や床下の内部構造物に係る数値・文字・記号・図形情報を優先して表示すると、これらにも及ぶ数値情報を見やすく表示する。
【００２４】
本発明としては、前記ＣＧ図化した図は、建築物の任意の箇所を表示し、前記平面図や展開図などの設計図は、前記ＣＧ図を見るときの人の立つ位置を示す視点位置（床上からの仮想の人が立って見る位置）や視点方向が施されることが好ましい。建築物の任意の箇所とは、建築物の内部のみならず外部（外部から見た斜視図状態）でも良い。焦点距離を合わせて、ＣＧ図を見るときの人の立つ位置が具体的に認識できるので、顧客も施工者も同じ位置に立った感覚でＣＧ図と平面図や平面図などの設計図を認識することとなる。
【００２５】
本発明は、前記建築物の平面図や展開図等の２次元画像データに基づいてコンピュータが３次元可視化技術によって表示する表示方法であり、前記建築物の所定場面を静止画像で表示している画面上に操作者が視点情報入力手段によって仮想の人が立って見る視点位置情報及び視点方向情報を入力すると、これらの視点位置情報及び視点方向情報に対応した３次元可視化により前記建築物の所定場面を静止画像で表示することを特徴とする。
【００２６】
本発明によれば、より一層、自分がＣＧ図上に居る感覚を実感できる。
【００２７】
本発明のＣＧ建築図面の表示プログラムは、コンピュータグラフィックス処理された画像データに基づいて建築物を動画像で表示しウォークスルーを行った後、前記建築物の所定場面を静止画像で表示するためにコンピュータ上で実行させるＣＧ建築図面の表示プログラムであって、前記建築物の平面図や展開図等の２次元画像データに基づいて３次元可視化技術によって表示するものであり、前記ウォークスルーを行っているときには前記所定場面の所定領域における数値，文字，記号，図形等の特定情報を非表示とし、前記所定場面の静止画像が表示されたときに前記所定領域のうちの一の領域もしくは当該領域内の特定箇所を操作者が特定領域選択手段にて選択すると、その選択領域における前記特定情報を表示するようにコンピュータを機能させることを特徴とする。
【００２８】
本発明によれば、既知のいわゆるパーソナルコンピュータ上で前記ＣＧ建築図面の表示プログラムを実行させると、前記建築物の平面図や展開図等の２次元画像データに基づいて３次元可視化技術によって建築物を動画像で表示しウォークスルーを行っているときには所定場面の所定領域における数値，文字，記号，図形等の特定情報を非表示とし、前記所定場面の静止画像が表示されたときに前記所定領域のうちの一の領域もしくは当該領域内の特定箇所を操作者が特定領域選択手段にて選択すると、その選択領域における前記特定情報を表示する。したがって、前記ウォークスルーを行っているときには動画像表示に適した情報のみ表示することができ、コンピュータが使用するメモリ容量を抑えてコンピュータへの負荷を軽減し、スムーズなウォークスルー動作が行なえるとともに、選択した箇所の数値・文字・記号・図形情報を認識し易く表示させることができる。
【００２９】
前記ＣＧ建築図面の表示プログラムを既知のいわゆるパーソナルコンピュータにインストールすることで、本発明のＣＧ建築図面の表示システムとなる。前記ＣＧ建築図面の表示プログラムは、ＵＳＢメモリ、ＣＤ−ＲＯＭ、メモリカードなどの既知の記録媒体に記録させて使用することができる。また、コンピュータをインターネットに接続し、インターネットを介して前記ＣＧ建築図面の表示プログラムを前記コンピュータにダウンロードして使用することができる。
【発明の効果】
【００３０】
本発明のＣＧ建築図面の表示方法とＣＧ建築図面の表示プログラムによれば、コンピュータが建築物を動画像で表示しウォークスルーを行っているときには所定場面の所定領域における数値，文字，記号，図形等の特定情報を非表示とし、前記所定場面の静止画像が表示されたときに前記所定領域のうちの一の領域もしくは当該領域内の特定箇所を操作者が特定領域選択手段にて選択すると、その選択領域における前記特定情報を表示する。したがって、前記ウォークスルーを行っているときには動画像表示に適した情報のみ表示することができ、メモリ不足や電力消費にかかるコンピュータへの負荷を軽減し、スムーズなウォークスルー動作が行なえるとともに、選択した箇所の数値・文字・記号・図形情報を認識し易く表示させることができる。
【００３１】
本発明によれば、玄関，台所，居間，寝室，バスルーム等の各選択指定場所を選択する選択ボタンのうちのひとつを操作者が選択すると、予め設定された前記ウォークスルーの移動ルートのうちから前記選択指定場所に移動するルートをコンピュータが選択し前記ウォークスルーを行い、前記選択指定場所にてウォークスルーを停止するので、そのウォークスルー停止位置から、前記建築物の所定箇所を特定領域選択手段で選択し、その選択範囲における数値・文字・記号・図形情報を認識し易く表示する。本発明によれば、例えば、電気工事者には電気配線の経路が理解し易く３Ｄで表示され、また、水道工事者には、給水管や排水管の経路が理解し易く３Ｄで表示される。そして、所定箇所の寸法寸が建物の内部構造と関連させながら表示できるので、リフォームやリノベーションとの作業に役立つとともに、データの維持管理や保存管理が容易になる。
これら本発明によって、顧客も施工者も同じ目線でＣＧ図と平面図や平面図などの設計図を認識することとなり、双方の認識のズレが解消されることとなる。
【図面の簡単な説明】
【００３２】
【図１】本発明の第１の実施形態に係るＣＧ建築図面を説明する図であり、（ａ）は平面図であり、（ｂ）は対応する３Ｄ図である。
【図２】上記実施形態のＣＧ建築図面を説明する図であり、（ａ）は３Ｄ図であり、（ｂ）は対応する２Ｄ図である。
【図３】上記実施形態の内部構造物を示す３Ｄ図であり、（ａ）は寸法を表示した状態を示す図であり、（ｂ）は寸法を非表示とした状態を示す図である。
【図４】本発明の第１の実施形態に係るコンピュータシステムを機能的に説明するブロック図である。
【図５】上記実施形態における作業手順を説明するフローチャート図である。
【図６】本発明の第１の実施形態に係るＣＧ建築図面を説明する図であり、顧客に提供する状態（広告、パンフレット）を示す図である。
【図７】本発明の第２の実施形態に係るＣＧ建築図面を説明する図であり、（ａ）は玄関口を示す３Ｄ図であり、（ｂ）は玄関内を示す３Ｄ図である。
【図８】上記実施形態のＣＧ建築図面を説明する図であり、（ａ）は内部構造を非表示とした状態を示す図であり、（ｂ）は天井の内部を表示した状態を示す図であり、（ｃ）は壁の内部を表示した状態を示す図である。
【図９】上記実施形態のＣＧ建築図面を説明する図であり、（ａ）は天井の配線を表示した状態を示す図であり、（ｃ）は天井及び床下の配線を表示した状態を示す図である。
【図１０】本発明の実施形態に係るＣＧ建築図面の元となる平面図であり、数値，文字，記号，図形等の特定情報の表示例を示す図である。
【図１１】上記実施形態のＣＧ建築図面を説明する図であり、壁及び床下の配線を表示した状態を示す図である。
【図１２】上記実施形態のＣＧ建築図面を説明する図であり、数値，文字，記号，図形等の特定情報の表示例を示す図である。
【図１３】上記実施形態のＣＧ建築図面を説明する図であり、数値，文字，記号，図形等の特定情報の表示例を示す図である。
【図１４】本発明の第２の実施形態に係るコンピュータシステムを機能的に説明するブロック図である。
【図１５】上記実施形態における作業手順を説明するフローチャート図である。
【図１６】上記実施形態のＣＧ建築図面を説明する図であり、数値情報の表示例を示す図である。
【図１７】上記実施形態における作業手順のうちのウォークスルー手順を説明するフローチャート図である。
【図１８】上記実施形態のＣＧ建築図面を説明する図であり、特定情報の表示例を示す図である。
【発明を実施するための形態】
【００３３】
本発明を実施するための形態について図面を参照しながら以下に説明する。
【００３４】
（第１の実施の形態）
図４は、本発明の第１の実施形態に係るコンピュータシステムを機能的に説明するブロック図である。本実施形態のＣＧ建築図面表示システム１は、コンピュータ８と、当該コンピュータ８上で動作するＣＧ建築図面作成プログラム２からなる。コンピュータ３には、第１のディスプレイ７１、第２のディスプレイ７２、キーボードやマウス等の入力手段１０、プリンタやプロッタ等の印刷手段１５が接続される。図１に示すコンピュータ８は、いわゆる個人向けのパーソナルコンピュータで足りる。
【００３５】
本実施形態のＣＧ建築図面表示プログラム２１は、符号Ｄ１〜Ｄ２１で示す各種処理手段を有し、ＣＧ建築図面作成プログラム２に組み込まれている。ＣＧ建築図面作成プログラム２には、ＣＧ建築図面表示プログラム２１と、ＣＰＵ４を介して、データベース５とＣＧ建築図面表示プログラム２１とでデータのやりとり等を制御する制御プログラム２２を備えている（図４）。
【００３６】
前記データベース５には、建築物の３Ｄ図の情報を蓄積する３Ｄ図情報蓄積手段５１、建築物の平面図の情報を蓄積する２Ｄ図情報蓄積手段５２、各図面に用いる家具等の備品を部品情報として蓄積する部品情報蓄積手段５３、３Ｄ図に用いる投射情報や、本発明の視点位置Ｃ１や数値・文字・記号・図形情報Ｎを画面上にどのように表示させるかなどの情報を蓄積する座標情報蓄積手段５４、本発明の視点位置Ｃ１や数値・文字・記号・図形情報Ｎを建築模型に反映させるための情報を蓄積する建築模型情報蓄積手段５５が備わっている（図４）。
【００３７】
前記ＣＧ建築図面表示プログラム２１には、２Ｄ図情報を処理する２Ｄ図情報処理手段Ｄ２、変換処理手段Ｄ２によって２Ｄ図情報処理手段Ｄ２からの情報に基づいて３Ｄ図情報を処理する３Ｄ図情報処理手段Ｄ１、前記建築物の所定場面の所定領域における数値，文字，記号，図形等の特定情報を処理する数値・文字・記号・図形情報処理手段Ｄ３、座標情報を処理する座標情報処理手段Ｄ４、ベクトル計算を行うベクトル計算処理手段Ｄ５、視点位置Ｃ１などの視点情報を処理する視点情報処理手段Ｄ６、階層処理を行う階層処理手段Ｄ７、内部構造物を表示又は非表示とするための内部構造物表示手段Ｄ８、前記所定場面の静止画像が表示されたときに前記所定領域のうちの一の領域もしくは当該領域内の特定箇所を選択するための特定領域選択手段Ｄ１７、奥行きに関する数値情報を優先表示するための優先表示手段Ｄ１８が備わっている（図４）。
【００３８】
コンピュータ８に備わっている記憶部は、建築物の各部屋の各種サンプルパターンデータや、建築物の梁、筋交いなどの内部構造物Ｅ１〜Ｅ４の長さ・幅や大きさ・位置を示す数値・文字・記号・図形情報等を格納するサンプルパターンデータ格納手段として機能する。前記記憶部としては、例えば、コンピュータ８に内蔵されているハードディスクや不揮発性メモリ等が挙げられ、それ以外にも、コンピュータ８の読取り装置を介して接続されるＵＳＢメモリ、フレキシブルディスク、メモリカード等の記憶媒体も含まれる。
【００３９】
入力手段１０は、例えば、キーボード、マウス、キーパッド、赤外線リモートコントローラ、スティックキー、或いはプッシュボタンといった、ユーザインターフェースとして図示しない所定の操作デバイスを介した入力操作を受付けて、ＣＰＵ４に所定の制御信号を送出する。コンピュータ８には、入力操作制御部が備わっており、ディスプレイ７１，７２に表示された平面図と３Ｄ図との対応する数値・文字・記号・図形情報やライン（線）を施すと互いに対応する位置に数値・文字・記号・図形情報や視点位置（仮想の人が立って見る位置）Ｃ１，Ｃ２を施すことができる機能を有する。そして、ＣＡＤによる設計が完了した状態においては、視点位置Ｃ１についても、取付位置や取付方向等が座標データとして特定し得る状態になっている。
【００４０】
ディスプレイ７１，７２は、例えば、液晶ディスプレイ、有機エレクトロルミネッセンスディスプレイといった各種表示デバイスであり、ＣＰＵ４の制御のもとに各種情報を表示する。ディスプレイ７１，７２は、３Ｄ図として、建築物の任意の箇所等や、柱・梁・筋交いＥ１〜Ｅ４や配管・配線など表示する（図３（ａ）（ｂ））。本実施形態では、建築物の内部構造図を用いて説明するが、建築物をその外部から表示した３Ｄ図と、当該３Ｄ図の所定位置を切り出した２Ｄ図とを表示することも可能である。そして、ディスプレイ７１，７２は、ひとつのディスプレイ７１として、３Ｄ図と２Ｄ図を切換え表示するようにしてもよいし、ひとつのディスプレイ７１に、複数のウインドウ表示をして３Ｄ図と２Ｄ図を同時に表示するようにしてもよい。
【００４１】
次に、本実施形態における作業手順を、図５に示すフローチャート図に沿って以下に説明する。
【００４２】
図５に示すように、先ず、建築物の平面図を２Ｄ図情報蓄積手段５２から読み出してディスプレイ７１に表示させ（符号Ｓ１）、入力手段１０によって間取り情報等の追加すべき基本情報を入力し（符号Ｓ２）、２Ｄ図情報処理手段Ｄ２で２次元情報としてデータ処理し、変換処理手段Ｄ２１によって定義済み処理を行い、数値情報の自動計算を行って（符号Ｓ３）、３Ｄ情報に変換し３Ｄ画像処理手段Ｄ１によって３次元図をディスプレイ７２に表示させ（符号Ｓ４）、壁の内部，天井の内部，床下の内部等の内部情報も表示させる。数値・文字・記号・図形情報処理手段Ｄ３は、数値・文字・記号・図形情報Ｎを３Ｄ図上に表示させるために、任意の箇所からの長さや高さ情報（床上からの位置）などを使用する。上記平面図の代わりに展開図から３Ｄ図を作成することもできる。これに対応する情報ＤＢから検索して３Ｄ図上に反映させて表示する。これにより、３Ｄ図に対応する箇所の数値・文字・記号・図形情報（実寸法）が表示される（図１（ａ）（ｂ）等）。図１では、階段の片側に形成される開口部と開口部の間隔（間取り）を実寸法を表示している。コンピュータ画面では、測定したい箇所の２点（始点と終点）を入力手段１０によりポイントすると（符号Ｓ５）、ベクトル計算処理手段Ｄ５によって、ポイントした２点間のベクトル計算処理がなされ距離が自動で表示される（符号Ｓ６）。また、仮想の人が立つ位置（視点位置）Ｃ１において人が左右に手を広げた状態では、その角度範囲θを変更することで、３Ｄ図の表示範囲を変更可能である（図１（ａ））。
一方、視点情報処理手段Ｄ６によって、平面図上で視点位置Ｃ１の情報を決定すると（符号Ｓ７）、それに対応して３Ｄ図におけるその位置が調整される。ここでは、仮想の人が立つ位置（視点位置）Ｃ１において人が左右に手を広げた状態を想定して表示して、この左右の線Ｃ２の中央を見つめる方向（仮想の人が見つめる方向）になり、これに対応して３Ｄ図の位置が調整される。
次いで、これらの情報を組み合わせて（符号Ｓ８）、一つの画面上に表示する（符号Ｓ９）。この３Ｄ図と平面図を一つ組み合わせてレイアウトしてプリンタやプロッタ等の印刷手段１５から印刷する（符号Ｓ１０）。レイアウトとしては、図６（ａ）（ｂ）（ｃ）や図７（ａ）（ｂ）に示すように、これを一枚の営業用のパンフレットや広告１Ａ，１Ｂ，１Ｃなどのレイアウトとして使用できる。レイアウト方法としては、所定の敷地や部屋のスペースに平面図情報を取り入れて、その平面図情報に対応させて、数値・文字・記号・図形情報の入力された３Ｄ図を作成することになる。
【００４３】
座標情報処理手段Ｄ４は、２Ｄ情報処理作成手段Ｄ２と数値・文字・記号・図形情報処理手段Ｄ３から与えられた座標情報を３Ｄ図用に変換する。例えば、図３（ａ）（ｂ）に示すように、柱Ｅ１の寸法や窓枠の寸法から３Ｄ画像の対応する箇所の数値を座標情報処理手段Ｄ４で演算して、数値・文字・記号・図形情報手段Ｄ５を介して３Ｄ画面上に表示する。ベクトル計算処理手段Ｄ５は、柱・梁・筋交いなどの内部構造物Ｅ１〜Ｅ４の長さ・幅や大きさ・位置等の数値・文字・記号・図形情報を用いて表示する際に使用する。内部構造物表示手段Ｄ８は、柱・梁・筋交いなどの内部構造物Ｅ１〜Ｅ４を表示する際に使用する。
視点情報処理手段Ｄ６は、視点位置（仮想の人が立って見る位置）Ｃ１に、３Ｄ図上での視線の方向と表示角度・表示範囲を表示する際に使用する。また、視点情報処理手段Ｄ６は、平面図上に入力された視点位置Ｃ１を、３Ｄ図の表示方向を前記視点情報Ｃ１に対応した方向・角度に調整処理する。
階層表示手段Ｄ７は、柱・梁・筋交いなどの内部構造物Ｅ１〜Ｅ４を３Ｄで階層的に表示するとともに、いずれか一方を表示したり、重ね合わせて同時に表示させたりする。階層処理手段Ｄ７としては、図３（ａ）（ｂ）に符号Ｗで示す照明器具（ダウンライト等）による照明箇所の明るさの変化を段階的に表示することもできる。
【００４４】
図１（ａ）は、建築物の玄関を中心にした平面図である。図１（ａ）で示された視点Ｃ１とその左右の方向線Ｃ２（Ｃ２は、その視点位置Ｃ１に立つ人が左右に手を広げた状態を示す線であり、左右の線Ｃ２）の中央を見たものが図１（ｂ）の３Ｄ図である。数値・文字・記号・図形情報Ｎは、階段の所定箇所や、階段の壁に設けた開口部分を実寸法と測定箇所からの線（測定箇所の左右の端部からの引き出す線）を示す。建築模型においては、縮尺寸法や格段寸法を施すことができる。また、同時に平面図を追加して表示したり、部分拡大図を追加したりすることができる（図１（ａ）（ｂ）等を参照）。数値・文字・記号・図形情報Ｎは、任意の位置に引き出して表示することができる。また、本実施の形態のシステムでは、図２（ａ）に示すように、数値・文字・記号・図形情報を浮き上がらせるように表示することができる。これにより３Ｄの奥行き感のあるところでも、数値・文字・記号・図形情報ともに表示方向や向きをレイアウトすることで、見やすく表示することとなる。
【００４５】
最終的には、図６（ａ）（ｂ）（ｃ）に示すように、これを一枚の広告（顧客に提供する営業用の広告等）１Ａ，１Ｂ，１Ｃとして使用でき、３Ｄ図と平面図を左右に並べて各々対応させて印刷して表示する。このように表示すると、比較しながら図面で確認でき、広告効果を高めることができるとともに、施工者側もこの図面を参照することで、これに従った施工を確認することができる。なお、同時に平面図を追加して表示したり、部分拡大図を追加したりして（図１（ａ）（ｂ）を参照）、印刷したり、後述する内部構造物Ｅ１〜Ｅ４を表示した図面を組み合わせたりして（図３（ａ）（ｂ）を参照）、広告として使用しても良い。すなわち、プリンタ１５により紙や樹脂製シート等に記載して印刷表示して、営業用パンフレットに使用したり、広告などに使用する。
【００４６】
本実施の形態では、３Ｄ図上の任意の位置で人の立つ位置（視点位置Ｃ１）を平面図に示すとすると、この視点位置Ｃ１の特定により、３Ｄ表示画面の位置を対応させることができる。そして、平面図の視点位置（人が立って眺める位置）Ｃ１を移動させると、３Ｄ表示手段Ｄ１が起動され、平面図の位置に対応する視点位置Ｃ１が左側の平面図に表示される。このとき、演算処理によって３Ｄ図の視点位置Ｃ１の方向を示す点と線（人が立って眺める周辺領域）も算出されて表示される。この３Ｄ図に書き込まれる視点位置Ｃ１（方向線Ｃ２を含む）は、各々単独でも書き込むことができるが、右側の３Ｄ図の位置を変更させると、それに対応して平面図に書き込む。３Ｄ表示ウインドウ内の画像表示は、３Ｄ画像表示手段Ｄ２によって管理され、３Ｄ画像を回転させて斜視図の状態にする。また、３Ｄ図に表示する数値・文字・記号・図形情報Ｎはその傾きを変えて表示することができる（図２（ａ））。すなわち、３Ｄ図の向き等に対応させた数値表示ができ、数値・文字・記号・図形情報（実寸法）Ｎの把握が行い易くする。座標情報処理手段Ｄ４とベクトル計算処理手段Ｄ５により、これらの位置情報Ｃ１を回転させることで、３Ｄ図の位置がこれに対応して回転するようにして表示する。ここで、視点位置Ｃ１には、人形やキャラクターなどを配置することも可能である。
【００４７】
前記ウォークスルー情報の生成に際しては、２次元空間で位置・高さ・方位・距離パラメータ情報を入力することができる。すなわち、ウォークスルー移動ルートに上記人の立つ位置（視点位置Ｃ１）・高さ・方位・距離の情報を加えることができる。３次元情報から指示された点の位置座標、高さ情報を割り出し移動情報、高さ情報割り出し手段を設けてウォークスルー経路を生成することもできる。間取り図３の建築物内外でウォークスルーする場合には、ディスプレイ７２の画面の右上部に表示されている「３Ｄでチェック」をクリックすると、図１１に示すように間取り図３の建築物内が３次元カラー画像として表示される。この表示は、例えば人間の目の高さを視点にして建築物内を見た場合の３次元空間の画像である。
【００４８】
本実施形態では、マウス等の入力手段１０を操作することにより、建築物内を自由に移動してその移動した位置から見た建築物内を３次元カラー画像として見ることができるようになっている。また、建物の外観も様々な方向から３次元カラー画像として見ることもできるようになっている。このウォークスルーにより、イメージ通りのものか否かをディスプレイ７２の画面上で容易に確認することができる。
【００４９】
図３（ａ）（ｂ）は、建築物の寝室を３Ｄで表示した図であって、柱・梁・筋交いＥ１〜Ｅ４などの内部構造物を表示させている。図３（ａ）は数値・文字・記号・図形情報を施した図であり、図３（ｂ）は数値・文字・記号・図形情報を除いた図である。ここで、内部構造物としては、柱・梁・筋交いＥ１〜Ｅ４やダウンライトＷなどを表示する。そして、柱・梁・筋交いＥ１〜Ｅ４などの長さ（実際の寸法）や、寝室の所定箇所の長さや位置（ダウンライトＷの位置）などを表示する。なお、この寝室に対応する３Ｄ図（内部構造物Ｅ１〜Ｅ４が映らない図）があり、これらの図が階層処理（手段）Ｄ７を使用して交互に表示される。
【００５０】
図２（ｂ）は、初期の図面に、階段の近くに備え付け部材（洗面台）Ｋを追加したものであり、その洗面台の寸法を数値・文字・記号・図形情報Ｎで表示している。すなわち、本実施の形態のコンピュータプログラムは、記憶装置に登録されている家具や備品の各種カタログ情報から選択した物品を表示する部品情報蓄積データベース（ＤＢ）５３を備え、この家具・備品選択画面によって登録されている家具（備え付け部材）Ｋを選択すると、選択した家具Ｋが３Ｄ図上に配置され、そして数値・文字・記号・図形情報処理Ｄ３により、その数値・文字・記号・図形情報（洗面台Ｋの高さ）Ｎｋを表示することができる。画面に表示された家具Ｋの配置位置は、ＸＹＺ位置を入力するボタン操作により、家具Ｋの配置位置を壁面からの距離若しくは床面からの高さで示す。
【００５１】
本実施形態では、建築途中の所定箇所をその長さ・幅や大きさ・位置等の数値・文字・記号・図形情報Ｎを用いて表示することもできる。これは、顧客（或いは、現場監督など）にも、施工作業者が設計図（３Ｄ図を含む）の通り作業が進んでいるかどうか確認するものであり、実際の施工箇所に墨などで数値を表示し、これを写真撮影して、これを３Ｄ図に表示された数値・文字・記号・図形情報Ｎと比較表示するものである。顧客としては、建築途中の進捗状況が設計図や３Ｄ図に適合して進捗しているかどうか知りたい場合がある。しかし、単なる進捗情報ではなく、所定箇所が数値表示されているので、両方の画面を比較することで、所定箇所が設計と一致していることや、３Ｄ図とも一致していることが確認できる。なお、上記３Ｄ図の通りに作業が進んでいることが確認するためのものであるが、これをインターネットを介して顧客に提供したり、現場監督の端末に表示させたりすることも可能である。そして、営業用パンフレットや広告にも使用可能である。
【００５２】
本実施の形態では、数値・文字・記号・図形情報Ｎと視点位置Ｃ１を表示させることで説明したが、同じ原理で、これを平面図等の設計図面に適用できることは勿論、例えば、平面図上にマウスを移動させると、これに対応する３Ｄ図の位置に視点位置Ｃ１等を表示させたり、平面図上にマウスで所定範囲を囲むと、これに対応する３Ｄ図の位置に同じ囲み線やその範囲の長さや面積を表示させたりすることも可能である。また、建築模型では、所定箇所を縮尺寸法で数値・文字・記号・図形情報Ｎを表示させることができる。このように、本実施の形態は本発明の適用範囲で各種設計が可能である。
【００５３】
（第２の実施の形態）
図７（ａ）（ｂ）、図８（ａ）（ｂ）（ｃ）は本発明の第２の実施の形態としての表示装置の表示画面である。表示手段（画面）７１，７２の下側には、全体図、玄関、リビンング、寝室１、寝室２等のボタンＪ１，Ｊ１ｓ，Ｊ１ｔが用意され（一部の表示ボタンＪ１，Ｊ１ｓ，Ｊ１ｔを拡大して示す。）、これらのボタンＪ１，Ｊ１ｓ，Ｊ１ｔを選択すると、ウォークスルーの移動ルートから前記選択指定場所に移動して停止する。また、これらを選択すると、前記選択指定場所から前記ウォークスルーの移動ルートに従って前記ウォークスルーを開始することもできる。例えば、上記「玄関」のボタンＪ１をマウス等で入力すると、ある任意の位置から玄関に向かってウォークスルーを開始して、あらかじめ設定されている玄関の所定位置で停止する。玄関、リビング、寝室１、寝室２等の選択指定場所の表示ボタンＪ１は、各々複数の表示位置があり、玄関でも、見方を変えた位置で停止可能になっている。なお、これらのウォークスルーの途中で停止させたいときは、停止ボタンＪ１ｓをマウス等でクリックするか、或いは、マウス等で停止させる。そして、上記建築物の所定箇所を特定領域選択手段Ｄ１７で選択すると、その選択範囲における上記建築物の所定箇所の数値・文字・記号・図形情報Ｎを表示する。
また、表示手段（画面）７１，７２の画面の左上側には、天井や床を表示するときの天井表示ボタンＪ３ａや床表示ボタンＪ３ｂや、壁の内部Ｊ４を表示する壁内部表示ボタンＪ３が配されている。そして、天井内部や床内部（床下）Ｊ４を表示すると、これらの表示部分Ｊ４にも及ぶ範囲で数値データＮを表示させることができる（図８（ａ）（ｂ）））。つまり、廊下の位置から天井部に渡る範囲の数値データを表示することも可能である。
【００５４】
本実施形態は、コンピュータ８には、予め、設計図作成プログラムがインストールされており、平面図情報・展開図情報や３Ｄ図情報を蓄積するデータベースと、操作デバイスと表示デバイス等を備え、ウォークスルーする移動ルートや、停止位置情報、停止位置からの仮想の人が立って見る位置からの方向（視線方向情報）を操作デバイスによってコンピュータ８に入力して、表示デバイスに、これらの視点位置情報及び視点方向情報に対応した範囲内で前記建築物の所定箇所の数値・文字・記号・図形情報を表示するとともに、天井や床下を表示する壁内部表示手段Ｄ８を備えて、天井や床下を表示しながら、或いは、表示してから、これらの視点位置情報及び視点方向情報に対応した範囲内で前記建築物の所定箇所の数値・文字・記号・図形情報を表示する（図１４）。また、内部構造物表示手段Ｄ８によって、前記柱・梁・筋交いなどの内部構造物Ｅ１〜Ｅ４を表示することができる。
【００５５】
本実施形態によれば、前記建築物の所定箇所を特定領域選択手段Ｄ１７で選択すると、その選択範囲（これら内部表示手段Ｄ８により内部表示Ｊ４を行いつつ前記３Ｄに係る数値・文字・記号・図形情報Ｎ）を表示する。この際、マウス等の入力手段１０で任意の２点を指定し、その２点間の距離を表示させることができ、マウス等の入力手段１０で四角形の囲み（枠）を作成して、この枠内の対角線の距離を表示させる。また、これらの計算技術を応用して、枠で囲まれた所定範囲（３Ｄ上でポインティングされた所定範囲）の面積を計測することも技術的には可能である。
【００５６】
図１４において、３Ｄ図情報蓄積部５１には、建築物の内外の３次元データが記憶されている。３Ｄ図情報蓄積部５１に格納された３次元データは、その３次元データと所定の対応関係にある２次元データを記憶するための２次元情報蓄積部５２と連携してデータのやりとりを行う。本実施形態では、平面図や展開図などの２次元データでウォークスルーの移動経路を書き込み（図９〜図１３の電気配線Ｄｒ，換気経路Ａｒ，配管経路Ｈｒなどを利用）、この移動経路Ｄｒ，ＡＲに従って３次元表示画面上をウォークスルーする。３Ｄ図情報蓄積部５１と連携してデータの授受を行う２次元情報蓄積部２では、建築物の内外の外観等を表わす３次元データと所定の対応関係にある２次元データである平面図・展開図に相応したデータを受け取ってこれを格納・保持する。そして、このように格納・保持された２次元データ（平面図や展開図のデータ）をディスプレイ７１，７２で表示する。
【００５７】
上述のように表示された建物の３Ｄ画像に対して、操作者はマウス等の入力手段１０を操作することで、仮想３次元空間内に設定された仮想の操作者を歩行させることができる。入力手段１０を操作すると、上述の各移動ポイントを表わすデータが生成され、該データがＣＰＵ４に送出されることによって、当該操作により各移動ポイントが設定される様子がディスプレイ７１，７２上にて確認される。入力手段１０で生成された移動ポイントを表わすデータはこれらに対応する座標を表わすデータとして、該座標を表わすデータを記憶するため座標情報蓄積手段５４と、既述の２次元情報蓄積手段５２に蓄積される。
【００５８】
本実施形態のウォークスルー表示は、予め作成したユーザの建築予定の建築物に関する画像データに対して、仮想的な視点を設定し、ユーザがマウス等の入力手段１０の操作によって視点を移動させるか停止させることにより、画面上で建築物を動画または静止画として表示し、建築物の内外を歩き回っているのと同様の視覚効果を画面上で得られる。この際、視点の移動に伴って、前記演算処理部で前記画像データに対してリアルタイムの演算を行い、時々刻々変化する演算データにより前記動画の表示を可能とする。ウォークスルーの制御としては、移動の速度、停止Ｊ２／移動の再開（スタート）Ｊ１ｓ、移動方向の逆転、或いは、上述した目的とする場所へのワープ移動などである。
前記入力手段１０では、操作者が移動ポイントを入力することによって観察者（操作者）が観察を予定した移動経路を設定するほか、観察を希望する部屋等の特定位置（例えば「リビング」、「ダイニング（台所）」、「和室」等の部屋名）を指定する。このようにして特定位置を表わす部屋名や移動経路表示によって指定された移動ポイントのデータも既述の２次元情報蓄積部５２に各供給され、対応する座標データとして移動ポイント座標情報蓄積手段５４に蓄積される。
【００５９】
本実施形態のウォークスルー表示は、前記建築物の平面図や展開図に係る画像データ（数値・文字・記号・図形情報）にウォークスルーする経路（移動ルート）をコンピュータ８に入力して、これに対応する３Ｄ表示上では、上記ウォークスルー情報に従ってウォークスルー表示を行なう。例えば、電気配線Ｄｒの経路、給水・排水の経路Ｈｒ、又は、換気の経路Ａｒ、照明器具の位置などに従ったウォークスルーである。電気配線Ｄｒの場合、天井部分の配線Ｄｒや床下部分の配線Ｄｒを表示することで、部屋のコンセントや分電盤と天井部や床下の配線との連続を確認できる（図９（ａ）（ｂ））。なお、天井部分や床下部分を表示したときは、優先表示手段Ｄ１８により、３次元情報として数値・文字・記号・図形情報Ｎを表示することを２次元のそれよりも優先して表示すると良い。例えば、柱の一部が見えているが、その全長の他の部分が壁や天井・床に隠れている場合に、その全長を知りたいときには、天井や床を開放して、その長さを測定したり、柱が壁で覆われた部分の長さを測定したり、壁の内部の柱の所定箇所の長さを表示させることができる（図８（ｂ）（ｃ）参照）。このとき、優先表示手段Ｄ１８により、３Ｄ表示に適した奥行き感のある箇所において、表示する数値情報Ｎ等をその表示に適した状態で表示する。それは、例えば、仮想の人が立って見る視点位置情報及び視点方向情報に対応した３Ｄ図表示である。
【００６０】
前記ウォークスルーの制御は、座標情報蓄積手段５４に記憶された上述の移動ポイントのデータは、これらの離散的な各移動ポイントの座標から該各移動ポイントを繋ぐ連続的な視点（観察者）の移動軌跡である視点を算出する視点の演算部に供給される。この視点の演算部で行われる演算手法としては、例えば、離散的な複数のポイントに基づいてこれら複数のポイントを繋ぐ線分、ポリライン、スプライン曲線を求めるといった手法を適用し得る（図１４）。
【００６１】
ここで、静止画と動画が撮れる電子カメラ（ルート設定用のカメラ）を使用して、表示画像にカメラのアイコンを配し、カメラの挿入点とカメラが見ているもの（ターゲット位置）を指定して、ダイアログボックスで、カメラパスとターゲットパスを指定して、使用するフレームの数とレートを設定することもでき、このように建物や敷地を撮影してムービーとして保存すると、これによってもウォークスルーのルートを設定可能である。線分やポリラインでターゲットパスを作成すればカメラの動きだけではなくカメラの視点を切り替えることもできる。
【００６２】
本実施形態によれば、仮想の人が立って見る視点位置情報及び視点方向情報を入力して、これらの視点位置情報及び視点方向情報に対応した３Ｄ図を表示させるので、これらの視点位置情報及び視点方向情報に対応した３Ｄ上で見やすい範囲内で前記建築物の所定箇所の数値・文字・記号・図形情報を表示することができる。
【００６３】
コンピュータ８の操作者は、このようにしてディスプレイ７１，７２に表示された建築物の間取り図に対して、マウス等の入力手段１０を使用してウォークスルーポイントの設定手段Ｄ１５や移動経路を移動ルート設定手段Ｄ１６により設定する（図１４）。この経路は、電気配線Ｄｒなどを利用して、電気配線Ｄｒなどの上に設定することができ、電気配線Ｄｒなどに沿うようにもできるが、このようにして設定された移動ポイントは、移動ポイント座標の記憶部１４に各ポイントを表わす離散的な座標データとして格納される。移動ポイント座標の記憶部１４に格納された離散的な座標データに基づいて視点の演算部では各移動ポイントを繋ぐ連続的な視点の移動軌跡である視点を演算により求める。なお、建築物内の部屋の形や、仮想的に配置された家具等を考慮して、観察者の移動の障害となるようなものを回避するようにして、観察者の移動経路としての視点の設定が行われるような演算がなされる。また、本実施の形態では、２次元の数値情報と３次元の数値情報が重複表示させないように、３次元情報を優先的に表示させることで、操作者が見やすくしている。
【００６４】
上述のようにして、視点の演算部で求められた視点のデータは、視点データ記憶部に記憶される。視点データ記憶部に記憶された連続的な視点（観察者）の移動軌跡である視点のデータは、投影演算を行う投影演算手段としてのレンダリング演算部（図示せず）に供給される。レンダリング演算部には、視点のデータのほかに、３Ｄ図情報蓄積部５１からの３次元データ等とデータ交換が行なわれる。
レンダリング演算部における演算処理が終了すると、演算の終了の旨を表わす信号（情報）が読み出し制御部に送出される。この読み出し制御部には、直接視点を置くことを予定した部屋等に瞬時に移動する（ワープする）ことを指示するための情報等が信号送出される。例えば、玄関Ｊ１から寝室１へワープ移動が可能である（図１（ｂ）、図３（ｂ））。
【００６５】
図９（ａ）（ｂ）と図１０は、照明器具Ｊ１０とその電気配線関係を表示する例である。これら照明器具Ｊ２０とその電気配線Ｄｒは、図１０の予め２次元上に描かれた換気系の装置と配線Ｄｒを基にして３Ｄ上に表示している。３Ｄ表示上では、電気配線Ｄｒに沿ってウォークスルーするが、２次元上のウォークスルーの移動ルートＤｒは表示させないようにしている。図９（ａ）（ｂ）の３Ｄ表示上には、電気配線Ｄｒのみを表示することで、実際の床上などに配される場合よりもイメージし易くなっている。
【００６６】
本実施形態によれば、電気配線系統のルートＤｒでウォークスルーすることで、電気工事担当者などは必要な工事場所などに速やかに移動して、電気工事必要な箇所で、その部分を拡大表示するなどして、特定領域選択手段Ｄ１７で測定したい箇所をポント指示する。これにより、無駄なく希望する位置に到達でき、特定領域選択手段Ｄ１７で表示したい箇所のみを表示できる。
【００６７】
図１７は、本実施形態における作業手順のうちのウォークスルー手順を説明するフローチャート図である。例えば、電気配線系統のルートＤｒでウォークスルーし、所定位置で停止すると（符号Ｓ１２）、電気工事担当者が必要な工事場所に速やかに移動して停止するので、その停止場所において、特定領域選択手段Ｄ１７で測定したい箇所をポント指示することにより、無駄なく希望する位置に到達でき、表示したい箇所の必要な情報を表示できる。図１７に示すように、ウォークスルーして所定位置で停止すると（符号Ｓ１２）、壁内部などの内部表示／非表示を行なって、壁や床下・床上などの内部Ｊ４を表示する（符号Ｓ１３）。そして特定領域選択手段Ｄ１７で測定したい箇所をピンポイントで指定することにより（符号Ｓ１４）、無駄なく（メモリ容量不足を生じさせずに）所定箇所を表示できる。
【００６８】
図１１（ａ）（ｂ）は、給水管・排水管Ｈｒの位置を表示する３Ｄ図である。これは建築物の平面図や展開図等の２次元情報に係る数値・文字・記号・図形情報から３ＤによりＣＧ表示する表示方法である。３Ｄ表示上に吸水管・配水管を表示することで、実際の床下などに配される場合よりもイメージし易くなっている。
【００６９】
本実施形態によれば、給水管・排水管Ｈｒを３Ｄにかかる長さ表示させながら、ウォークスルーすることができる。３Ｄ給排水図であり、水道管や配水管Ｈｒを３Ｄ画面上に表示している。したがって、電気工事者や水道工事者には、吸水管・配水管Ｈｒのルートがイメージし易く、吸水管・配水管Ｈｒに沿ってウォークスルーして、例えば工事の必要の箇所では、その部分を拡大表示するなどして、特定領域選択手段Ｄ１７で測定したい箇所をポント指示する。これにより、無駄なく希望する位置に到達でき、特定領域選択手段Ｄ１７で表示したい箇所のみを表示できる。これらを応用して、これらで囲まれた所定範囲（３Ｄ上でポインティングされた所定範囲の体積（容積）を計測することもできる。例えば、工事に必要な壁を壊す範囲を指定して、イメージ的に表示できる。
【００７０】
図１５には、換気ルートＡｒをウォークスルー表示する例が図示されている。換気系の器具及び配線からなる換気ルートＡｒを見て回る時にこの図を使用する。ここでも、予め２次元上に描かれた換気ルートＡｒを３Ｄ上に反映させるが、３Ｄ表示上では、２次元上のウォークスルーの移動ルートを表示させないウォークスルーを行なう。実際の換気系の装置と配線（内部構造物）Ａｒが３Ｄに描かれている場合は、換気ルートＡｒの長さや大きさを表示することができる。そして、換気ルートＡｒが表示されていない箇所の長さや、任意の位置の長さを測定したいときは、マウス等の入力手段１０によって任意の２点を選択指定し、その２点間距離を表示させることができ、マウス等の入力手段１０によって四角い枠を作成して、この枠内の２点間や対角線の距離を表示させることができる。
【００７１】
図１６（ａ）（ｂ）は、３Ｄ軸組図であり、室内（保育施設）の壁に使用される板材Ｈａを表示するとともに、３Ｄ空間の所定範囲の長さを表示している。このように、３Ｄ表示にかかる長さ（Ｈａ）のみ表示して、２次元データは表示しないことで、３Ｄにかかる長さ表示（Ｈａ）が明確に認識できる。また、数値・文字・記号・図形情報Ｎを拡大・縮小表示できる拡大・縮小手段を備えている。数値・文字・記号・図形情報Ｎは、任意の位置に引き出して表示でき、所定の対角線位置を表示させたり、表示する方向を決定したり、又、数値・文字・記号・図形情報Ｎを浮き上がらせるように見やすく表示する。
【００７２】
例えば、図１６（ａ）（ｂ）において、天井内部や床内部（床下）Ｊ４を表示させたとすると、これらの表示部分にも数値データを表示させることができる。例えば、廊下の位置から天井部に渡る所定範囲の数値データを表示したり、電気配線Ｄｒであれば、天井部と床下の電気配線Ｄｒや電気系統の記号Ｄｒｋを同時に表示したりできる（図１１（ａ）（ｂ））。そして、３Ｄ表示させた電気配線Ｄｒを表示させながら、ウォークスルーすることができる。なお、３Ｄ表示上では、ウォークスルーの移動ルートを表示させないで、ウォークスルーを行なうことも可能である。
【００７３】
図１８（ａ）（ｂ）は、建物内の風や空気の流れを表示する例である。２次元の展開図に、室外から室内への冷たい空気５０１の流れを水色などの寒色でカラー表示させるとともに、室内から室外への暖かい空気５０２の流れを橙色などの暖色でカラー表示させる。そして、空気の流れ５０１，５０２を３Ｄ表示上で表示させるとともに、これに沿ってウォークスルーを行なうことができる。なお、通風の矢印は、２次元の展開図にのみに表示させることができ、３Ｄ図のみに表示させることができる。
【００７４】
なお、本発明は、上述した実施の形態に限定されるものではない。例えば、画面上には、３ＤによりＣＧ表示させるとともに、前記建築物の平面図や展開図に係る画像データ（数値・文字・記号・図形情報Ｎ）を表示しして、それらの両方でウォークスルーの様子が認識できるようにしても良く（図１５を参照）、これらを切り替えて表示させても良い。このように、本発明は、その趣旨を逸脱しない範囲で適宜変更が可能であることは言うまでもない。
【符号の説明】
【００７５】
１Ａ，１Ｂ，１Ｃ    ＣＧ建築図面、
２                  ＣＧ建築図面作成プログラム、
４                  ＣＰＵ、
８                  コンピュータ、
２１                ＣＧ建築図面表示プログラム、
Ｎ，Ｎｋ            数値・文字・記号・図形情報、
Ｄ１                ３Ｄ画像表示手段、
Ｄ２                平面図情報表示手段、
Ｄ３                数値・文字・記号・図形情報入力手段、
Ｄ４                座標情報処理手段、
Ｄ５                ベクトル計算処理手段、
Ｄ６                視点情報処理手段、
Ｄ７                階層処理手段、
Ｄ８                内部構造物表示手段、
Ｄ１５              ウォークスルーポイントの設定手段、
Ｄ１６              ウォークスルー移動経路の設定手段、
Ｄ１７              特定領域選択手段、
Ｈｒ                配管、
Ａｒ                換気系、
Ｄｒ                電気配線、Ｄｒｋ  電気系統の記号、
Ｃ１，Ｃ１１        視点位置（仮想の人が立って見る視点位置）、
Ｃ２，Ｃ１２        表示範囲を示す線（表示方向、表示角度）、
Ｃ１３              円（視点位置）、
Ｅ１〜Ｅ４          内部構造物（電気配線、給水管・排水管、換気に使用する機器を含む。）
Ｋ                  備え付け部材（洗面台）、
Ｊ１                表示ボタン（ウォークスルーの停止、開始）、
Ｊ４                内部表示（壁内部、床下、天井）
【図１】
2015125761.tif 000003
【図２】
2015125761.tif 000004
【図３】
2015125761.tif 000005
【図４】
2015125761.tif 000006
【図５】
2015125761.tif 000007
【図６】
2015125761.tif 000008
【図７】
2015125761.tif 000009
【図８】
2015125761.tif 000010
【図９】
2015125761.tif 000011
【図１０】
2015125761.tif 000012
【図１１】
2015125761.tif 000013
【図１２】
2015125761.tif 000014
【図１３】
2015125761.tif 000015
【図１４】
2015125761.tif 000016
【図１５】
2015125761.tif 000017
【図１６】
2015125761.tif 000018
【図１７】
2015125761.tif 000019
【図１８】
2015125761.tif 000020